(57)【要約】      （修正有）【課題】本のタイトルや著者名など書籍外観に表示される情報を簡易に訂正可能な書籍を提供する。【解決手段】表紙部２０と、表紙部に形成され、書き込みシートを積層して収納可能な凹部とを有する書籍１０と、前記凹部に収容可能な１又は複数の書き込みシート４０からなることを特徴とする、書籍作成セットである。本考案によれば、書籍作成者、著者などが表紙に表示するタイトルや著者名などを自筆で書き入れる場合に、書き損じや納得いかないものであっても、情報の訂正を書籍の美観を損なわずに行うことが可能となり、満足ゆく外観を備えた書籍を作成することが可能となる。【選択図】図１
0003110514.tif 000002
【実用新案登録請求の範囲】
【請求項１】
表紙部と
前記表紙部に形成された凹部と、
前記凹部に積層して収納可能な書き込みシートと
を有することを特徴とする書籍。
【請求項２】
前記書き込みシートは、利用者が任意の文字又は図形を書き込み可能な書き込み面と、粘着面とを有することを特徴とする、請求項１に記載の書籍。
【請求項３】
表紙部と
表紙部に形成され、書き込みシートを積層して収納可能な凹部と
を有する書籍と、
前記凹部に収容可能な１又は複数の書き込みシートと
を有することを特徴とする、書籍作成セット。
【考案の詳細な説明】
【技術分野】
【０００１】
本件考案は、書籍、並びに書籍作成セットに関し、より詳しくはタイトルや筆者名など、書籍に表示する情報を変更・訂正可能な書籍、及びそのような書籍を作成するための書籍作成セットに関する。
【背景技術】
【０００２】
近年、自分史を残したいなどの要求に応じる出版形態として、個人が自費で少ない部数の写真集、自分史、随筆、歌集、句集、画集、手芸・工芸作品集、追悼集、論文などを書籍として発行する自費出版が静かなブームとなってきている。自費出版には、様々な形態があるが、小規模出版社などの請負業者に委託し、校正、レイアウト、印刷・製本までを行わせる形態があるが、個人で負担するには高額となり、利用しづらいという問題があった。
【０００３】
そこで、数冊から数十冊のような比較的小規模な頒布数で足りる場合は、本文の部分を白紙のまま製本した製品を利用し、手書きなどにより本文を記入して出版する、自費出版形態が登場してきた。
【考案の開示】
【考案が解決しようとする課題】
【０００４】
上記のような手書きによる自費出版形態の場合には、本のタイトル、著者名など書籍外観に表示される情報も著者などの手書きにより記入されることとなる。
【０００５】
しかしながら、手書きによるため、誤りを犯したり、納得のいかない出来になることがままあり、そのような場合は、あきらめるか書籍の美観を損ねても訂正をするしかなかった。著者の納得いかない体裁のまま、精魂込めて書いた書籍を流通させるという不本意な結果を受け入れるしかなかったという問題点があった。
【０００６】
本考案の目的は、本のタイトルや著者名など書籍外観に表示される情報を簡易に訂正可能な書籍、並びにそのような書籍を作成させるための書籍作成セットを提供することにある。
【課題を解決するための手段】
【０００７】
上記課題を解決するための手段として、本件考案は以下のような特徴を有する。
【０００８】
本考案の第１の態様は、書籍として提案される。  
この書籍は、表紙部（例えば、表紙、背表紙、など）と、前記表紙部に形成された凹部と、前記凹部に積層して収納可能な書き込みシートとを有することを特徴としている。
【０００９】
かかる書籍によれば、書籍作成者、著者などが、表紙に表示されるタイトルや著者名などを自筆で書き入れる場合に、失敗などが生じても容易に訂正することが可能な書籍を提供できる。
【００１０】
上記の書籍において、前記書き込みシートは、利用者が任意の文字又は図形を書き込み可能な書き込み面と、粘着面とを有するようにしてもよい。かかる書籍によれば、粘着面により、書き込みシートを簡便に表紙部に固着させることが出来るため、書籍の作成を容易化することが可能となる。
【００１１】
本発明の第２の態様は、書籍と書き込みシートからなる書籍作成セットとして提案される。この書籍作成セットは、表紙部と、表紙部に形成され、書き込みシートを積層して収納可能な凹部とを有する書籍と、前記凹部に収容可能な１又は複数の書き込みシートとで構成される。
【００１２】
自費出版希望者のような書籍作成者、著者は、所望の部数分、この書籍作成セットを購入し、自筆などにより本文を完成させると共に、タイトルや著者名を書き込みシートに記入して、記入済みの書き込みシートを書籍の凹部に貼り付けることにより、書籍を完成させる。タイトルや著者名などの書籍外観上重要な要素が気に入らない場合には、その書き込みシートの上に、別の新たな書き込みシートを重ね貼りし、この新たな書き込みシートに再度書き込みを行うことにより、気に入るようなタイトルや著者名などの書き込みが完成するまで、訂正を繰り返すことが可能となる。
【考案の効果】
【００１３】
本考案によれば、書籍外部に表示される情報の訂正を書籍の美観を損なわずに行うことが可能となり、満足ゆく外観を備えた書籍を作成することが可能となる。
【考案を実施するための最良の形態】
【００１４】
［１．書籍の例］
本実施の形態にかかる書籍を図面を参照しながら説明する。  
図１は、本実施の形態にかかる書籍の斜視図であり、図２は書籍の背表紙側から見た外観図であり、図３は図１中のＡ−Ａ断面線に沿った断面図である。
【００１５】
この実施の形態では、書籍１０は、表紙部である表紙２０と、本文をなす本文部１０Ａとで構成される。本文部１０Ａは白紙の状態で書籍作成者又は著者に渡され、書籍作成者又は著者は本文部１０Ａに所望の内容を記述する。
【００１６】
書籍１０の表紙２０には、所望の箇所に凹部３０が形成されている。凹部３０の形成は、表紙２０の一部を刃物などにより切り欠くことにより形成してもよいし、或いは表紙２０を熱可塑性の素材で作成し、これを熱成形して凹部３０を形成するようにしてもよい。本実施の形態では、凹部３０の形成方法に制限はない。また、凹部３０の形状及び大きさ（面積）は任意であって、その凹部３０に貼付する書き込みシート４０（後述）状に記載される情報（文字、図形、写真など）に応じて決定されてよい。
【００１７】
図２は書籍１０の背表紙側から見た外観図である。書籍１０の背表紙にも１又は複数の凹部３０が形成されていてよい。
【００１８】
また、本図において図示した凹部３０は表紙２０のみだが、凹部３０は、看者（読者）が視覚にて認識できる部位、例えば裏表紙などいずれの場所に何カ所形成しても構わない。
【００１９】
各凹部３０は、書き込みシート４０が収まる大きさとなっている。書き込みシート４０の大きさは、それが納められる凹部３０に応じて定まっている。
【００２０】
書き込みシート４０は、著者、書籍制作者などが本のタイトルや筆者名など所望の情報を書き込みできるシートである。書き込みシート４０に書き込みされる情報の例としては以下のものが上げられる。
（１）本のタイトル、例えば、「○山○夫の自分史」など
（２）著者名
（３）著者の写真
（４）本の贈り先
図４に書き込みシート４０の断面図を示す。書き込みシート４０は、紙やプラスチックなど、筆記具にて書き込み可能な素材で出来たシート５０と、シート５０の一方の面に設けられた粘着層６０とを有している。この粘着層６０は粘着面を提供し、この粘着面を凹部３０底面などに当接させることにより、書き込みシート４０は容易に書籍１０から剥落しないようになっている。粘着層６０が設けられていないシート５０の他方の面は、書き込みがなされる面（書き込み面）として機能する。
【００２１】
凹部３０は、適度な深さを有しているため、一度書き込みシート４０をその内部に塗布しても、さらに重ねて別の書き込みシート４０を張ることが出来るため、書き込み面に記入した情報が誤っていたり、出来に納得できない場合には、新たな書き込みシート４０をすでに書籍１０に貼付済みの書き込みシート４０の上に貼り重ねることにより、簡単迅速且つ美しく訂正をすることが出来る。
【００２２】
また書き込みシート４０は、凹部３０内部に格納されるため、書き込まれた文字などが摩擦や擦れ等によりかすれたり、薄くなったりすることはないという利点も有している。
【００２３】
［書籍作成セット］
上記の書籍１０と、書き込みシート４０とを組み合わせて、書籍作成セットが構成される。本文部１０Ａが白紙状態の書籍１０と、訂正分を含む数枚から十数枚ほどの書き込みシート４０を書籍作成セットとして製造、販売などするようにしてもよい。
【００２４】
［変形例］
上記実施の形態では、書き込みシート４０を表紙２０に固着させる手段として、粘着剤層６０を用いたが、固着させる手段は、書き込みシート４０が表紙２０から容易に離脱しないものであれば、どのようなものでも良く、粘着層６０の代わりにノッチと係合溝のような物理的な手段を設けてもよいし、その他の手段であっても構わない。
【図面の簡単な説明】
【００２５】
【図１】本考案の一実施の形態にかかる書籍の斜視図
【図２】書籍を背表紙側から見た外観図
【図３】図１のＡ−Ａ断面線に沿った断面図
【図４】書き込みシートの断面図
【符号の説明】
【００２６】
１０…書籍；    ２０…表紙；    ３０…凹部；    ４０…書き込みシート；    ５０…シート本体；    ６０…粘着剤層
【図１】
0003110514.tif 000003
【図２】
0003110514.tif 000004
【図３】
0003110514.tif 000005
【図４】
0003110514.tif 000006